(57)【要約】      （修正有）【課題】携帯電話のウェブブラウザを用いて、直接携帯電話サイトを構築する際に、携帯電話の動画撮影機能を用いて撮影した動画情報を、携帯電話サイトにアップロードすることを可能とし、多彩な情報（文字、静止画像、動画像）を用いた携帯電話サイトの構築を可能とした端末システムを提供する。【解決手段】端末にブラウザ機能を有する端末システムにおいて、前記端末を用いて、文字情報、静止画像情報、さらには、動画像情報を、所定のサーバへとアップロードすることにより、前記サーバが、前記端末よりアップロードされた文字情報、静止画像情報、さらには、動画像情報からなるウェブサイトを形成する端末システムである。【選択図】図３
2008191834.tif 000002
【特許請求の範囲】
【請求項１】
端末にブラウザ機能を有する端末システムにおいて、前記端末を用いて、文字情報、静止画像情報、さらには、動画像情報を、所定のサーバへとアップロードすることにより、前記サーバが、前記端末よりアップロードされた文字情報、静止画像情報、さらには、動画像情報からなるウェブサイトを形成することを特徴とする、端末システム。
【請求項２】
前記端末は、ブラウザ機能を有する携帯電話であることを特徴とする、請求項１記載の端末システム。
【発明の詳細な説明】
【技術分野】
【０００１】
本発明は、ウェブブラウザ機能を有する端末における端末システムに関し、特に、携帯電話サイトの構築に関する。
【背景技術】
【０００２】
近年、携帯電話等の端末を用いてインターネット環境を利用するブラウザ機能を有する携帯電話機が主流となってきており、自宅や外出先を問わず、携帯電話を片手に様々なネットワーク情報の利用が可能となっている。特に、従来では、ＰＣ環境を用いてウェブサイトを構築する場合が多く、携帯電話で閲覧するウェブサイト（携帯電話サイト）を構築する際にも、ＰＣ環境と構築用の専用ソフト、さらには別途ホスティングサービスの契約が必要であった。
【０００３】
しかし、近年においては、携帯電話を用いて直接、ウェブサイトの構築が可能となり、例えば、特開２００３−１２２６７５号の公報には、ウェブ領域ホスティングサービス契約、さらには、ＰＣ環境や構築用ソフトを必要とせずに、携帯電話を用いてＨＰ（ホームページ）を構築することが可能な携帯電話システムが開示されている。
【０００４】
【特許文献１】特開２００３−１２２６７５号公報
【発明の開示】
【発明が解決しようとする課題】
【０００５】
しかしながら、上記携帯電話を用いてウェブサイトを構築した場合には、単に文字情報のみのウェブサイト（携帯電話サイト）などが多く、新鮮さに欠けるという欠点がある。さらには、携帯電話で撮影した動画を、上記携帯電話サイトへとアップロードすることができないため、携帯電話の機能を十分に活かした携帯電話サイトを構築することが困難であった。
【０００６】
本発明は、このような問題点を解決するためになされたものであり、その課題は、主に、端末（携帯電話）を用いて、直接ウェブサイトを構築する際に、携帯電話の動画撮影機能（内蔵カメラ）を用いて撮影した動画情報を、ウェブサイトにアップロードすることを可能とし、多彩な情報（文字、静止画像、動画像）を用いた、表現力豊かなウェブサイトの構築を可能とする端末システムを提供することである。
【課題を解決するための手段】
【０００７】
そこで、上記課題を解決するため、本発明の請求項１記載の発明は、端末にブラウザ機能を有する端末システムにおいて、前記端末を用いて、文字情報、静止画像情報、さらには、動画像情報を、所定のサーバへとアップロードすることにより、前記サーバが、前記端末よりアップロードされた文字情報、静止画像情報、さらには、動画像情報からなるウェブサイトを形成することを特徴とする、端末システムである。
【０００８】
また、請求項２記載の発明は、前記端末は、ブラウザ機能を有する携帯電話であることを特徴とする、端末システムである。
【発明の効果】
【０００９】
本発明の請求項１記載の発明は、端末にブラウザ機能を有する端末システムにおいて、前記端末を用いて、文字情報、静止画像情報、さらには、動画像情報を、所定のサーバへとアップロードすることにより、前記サーバが、前記端末よりアップロードされた文字情報、静止画像情報、さらには、動画像情報からなるウェブサイトを形成することを特徴とするから、ブラウザ機能を有する端末を用いて、簡単にウェブサイトを構築することが可能であり、さらには、端末の文字入力機能や静止画像撮影機能のみならず動画像撮影機能を十分に活用して、多彩な情報からなるウェブサイトを簡単に構築することが可能である。
【００１０】
また、請求項２記載の発明は、前記端末は、ブラウザ機能を有する携帯電話であることを特徴とするから、携帯電話の内蔵カメラを用いて撮影された動画を用いた、携帯電話サイトを容易に構築することが可能である。
【発明を実施するための最良の形態】
【００１１】
本発明に係る端末システムの一例として用いる携帯電話１（端末１）は、図１に示すような、薄形の携帯電話１であって、図１（ａ）に示すように、端末１の表面には、端末１の上方部分に表示画面２（画面２）を有し、該画面２の上方には、小型のスピーカーからなる聞取部４を有し、前記画面２の下方には、複数のボタンからなる操作部３を有し、該操作部３のさらに下方には、小型のマイクからなる通話部５を有する。
【００１２】
他方、図１（ｂ）に示すように、端末１の裏面には、上方部分に静止画像や動画画像を撮影するためのフラッシュ機能を持つ小型カメラ６（内蔵カメラ６）を有し、中央部分には、着信音やメロディーなどの各種音源を発するためのスピーカー７を有し、該スピーカー７の下方には、端末１を駆動するためのバッテリー８が内蔵されている。また、端末１の底部分には、図示しない、外部からＡＣアダプタ等を介して、前記バッテリー８を充電する際に用いるコネクタ部分を有しており、端末１を充電して繰り返し使用することが可能である。
【００１３】
また、端末１の内部には、図示しない、各種情報を記憶するためのメモリや、各種プログラムの実行および画像処理等を実行するＣＰＵや、所定の周波数を送受信するためのアンテナおよび無線回路が搭載されており、使用者の操作に基づいて各種プログラムが実行され、各種情報の送受信が可能である。
【００１４】
例えば、主に、従来の電話と同様に、前記操作部３により相手先の番号を入力して発信することにより、通話することを目的とする通話機能や、さらには、前記操作部３の操作によりネットワーク機能（ウェブブラウザ機能）を選択して、外部のウェブサーバへとアクセスすることにより、ネットワーク環境での情報のやり取りが可能である。
特に、前記ネットワーク環境において、従来、主にＰＣ上で行なっていたＥメールやインターネット等のネットワーク機能を、携帯電話等の端末１を用いることにより、どこにいてもリアルタイムで行うことが可能である。
【００１５】
次に、このような端末１を利用した、本発明の端末システムについて説明する。
本発明の端末システムは、前記端末１を用いて、前記ネットワーク環境でのホームページ等のウェブサイトを簡単に作成することが可能であり、例えば、図２に示すように、端末１から動画像や静止画像、文字情報をウェブサーバＶ（サーバＶ）へとアップロードして、簡単にウェブサイトを作成することが可能であり、該ウェブサイトを、端末１を含む外部機器Ｇから閲覧することが可能である。
【００１６】
特に、本発明の端末システムは、端末１の内蔵カメラ６を用いて撮影した動画像を用いて、直接、端末１からの操作により携帯電話サイト（ウェブサイト）を作成可能とした点に特徴があり、これにより、従来、ＰＣ上で行なっていたウェブサイトの構築を、携帯電話等の端末１を用いて、場所を問わずリアルタイムに行なうことが可能である。
【００１７】
以下に、端末システムの一例としての実施例を用いて、本発明の端末システムについて説明する。
（実施例）
まず、前記端末１のブラウザ機能を用いてネットワーク環境へとアクセスし、所定のサーバＶへとアクセスする。これにより、前記端末１の前記表示画面２には、図３に示すような、端末システムの初期画面である管理画面が表示されることとなる。
【００１８】
そして、前記管理画面においては、「タイトル」、「コメント」、さらに画面２を下方へとスクロールすると、「表示画像の選択」等についての入力欄があり、使用者は、端末１の操作部３を用いて、これらの情報を入力した後、管理画面の下方に位置する「アップロード」を選択して、前記入力した情報を、前記所定のサーバＶへと送信する。
【００１９】
例えば、図４（ａ）に示すように、端末１の操作部３を用いて「タイトル」の入力欄へと移動した後、前記操作部３により「こんにちは」の文字列を入力する。次に、「コメント」の入力欄へと移動して、「今日はいい天気です。」の文字列を入力する。
【００２０】
さらに、図４（ｂ）に示すように、端末１の表示画面２を下方へとスクロールして、「表示用画像を選択」の入力欄へと移動した後、操作部３を用いて、端末１のメモリに収容された所望の静止画ファイルのアドレスを入力する、若しくは、「参照」ボタンを選択することにより、端末１のメモリに収容されたアドレス一覧が表示され、該アドレス一覧より所望の静止画ファイルを選択することにより、自動的に入力欄へとアドレスデータが入力されることとなる。
【００２１】
また、このときに、前記文字列の表示色や、表示方法や、文字体などを、使用者の好みに応じて適宜変更することが可能な構成としてもよい。
【００２２】
上記操作を経た後、「アップロード」を選択することにより、上記内容が前記サーバへと送信され、該サーバにおいてイメージデータやウェブページデータを形成して、再び、端末１へとイメージデータを返信する。
【００２３】
これにより、図５（ａ）に示すように、端末１の表示画面２には、前記静止画像Ｓが表示されて、静止画像Ｓのアップロードが完了する。特に、静止画像Ｓが表示画面上２に表示されることにより、所望の静止画像Ｓであるか確認することができるとともに、ウェブサイトのおおまかなイメージを決定することが可能である。
【００２４】
このように、静止画像Ｓを決定する操作を経た後、図５（ｂ）に示すように、表示画面２に新たな、「動画ファイルの選択」の入力欄が表示される。そして、再び端末１の操作部３を用いて、「動画ファイルの選択」欄へと、端末１のメモリに収容された動画ファイルのアドレスを入力する、若しくは、「参照」ボタンを選択して、アドレス一覧を表示した後、該アドレス一覧より所望の動画ファイルを選択することで、自動的に前記入力欄へと動画ファイルのアドレスが反映入力されることとなる。
【００２５】
最後に、「アップロード」を選択することにより、上記動画データを含む情報が前記サーバＶへと送信され、該サーバＶにおいて、各種端末のウェブブラウザ上で表示可能な動画データの形式への変換が行なわれる。そして、前記端末１へと送信結果についての情報を返信する。
【００２６】
これにより、端末上１の表示画面２が、図６（ａ）に示すように、前記管理画面から送信結果画面へと切り替わり、該送信結果画面に、「正常にデータがアップロード・登録されました。」の文字列が表示されて、ウェブサイトを構築する全ての操作を完了する。
【００２７】
また、前記手順を最初から繰り返すことができるように、「登録画面トップ」等のタブを表示するよう構成してもよく、これにより、図６（ｂ）に示すように、再び、前記初期画面（管理画面）へと戻るため、使用者は何度でも前記手順を経てリアルタイムにウェブサイトの構築を行なうことが可能である。
【００２８】
そして、このようにして構築されたウェブサイトへと、他の外部端末Ｇ（端末Ｇ）からアクセスした場合、図７に示すように、上記方法により構築されたウェブサイト（携帯電話サイト）を閲覧することが可能である。
特に、静止画Ｓのみならず動画Ｄを用いたウェブサイトを簡単に構築することができるため、多彩な情報をリアルタイムで発信することが可能である。よって、情報内容が遂次変化するような場合（ニュース、天気、交通状況、スポーツ実況等）において、本発明の端末システムは、特に利用価値の高いものになる。
【００２９】
以上のように、本発明の端末システムは、端末１の動画撮影機能（カメラ６）により撮影した動画Ｄを用いて、ウェブサイトへとアップロードすることが可能であり、簡単な方法で文字情報や静止画像Ｓのみならず動画像Ｄを用いた多彩な情報を有するウェブサイトを作製することが可能である。
【００３０】
前記端末１として、携帯電話を用いた例を示したが、本発明の端末システムに用いる端末１は、これに限らず、例えば、ＰＨＳ、ＰＤＡのみならず、ノートパソコンやデスクトップパソコンなど、表示画面２と操作部３およびネットワーク環境へとアクセス可能な環境を有すればよい。さらには、前記ネットワーク環境へとアクセスする方法は、携帯電話の通信方式に限らず、光ファイバやＬＡＮ環境等の有線方式や、無線ＬＡＮや各種電波を用いた無線方式など、適宜選定することが可能である。
【００３１】
前記静止画像や前記動画像は、各種端末で使用可能なファイル形式へと変更することにより、様々な端末により閲覧することが可能であるが、例えば、動画像を閲覧表示するためには、携帯電話を前記端末とした場合、前記ファイル形式は、３ＧＰＰ，３Ｇ２等のＭｐｅｇ４形式に基づいたファイル形式へと変換することが必要である。
【００３２】
また、ＰＣ等を端末とした場合には、Ｍｐｅｇ１、Ｍｐｅｇ２、ＭＯＶ、ＡＶＩ、ＷＭＶ等のファイル形式へと変換することにより、ＰＣ上でも閲覧可能なサイトを構築することが可能である。何れにせよ、動画像や静止画像のファイル形式は、使用する端末により、適宜選択すればよく、使用するソフトや各種圧縮方法等に応じて適宜ファイル形式を選択することが可能である。
【００３３】
前記端末１として携帯電話を用いた場合、通常、動画ファイルは端末１内のメモリに収容されるが、これに限らず、外部のメモリ等を用いて動画ファイルを収容したものを用いて、前記端末システムの動画に適用してもよい。
【図面の簡単な説明】
【００３４】
【図１】端末の一例を示す説明図である。（ａ）端末の略正面を示す図である。（ｂ）端末の略背面を示す図である。
【図２】本発明の端末システムの概略を示す説明図である。
【図３】本発明の端末システムの使用例を示す説明図である。
【図４】前記端末の表示画面を示す説明図である。
【図５】前記端末の表示画面を示す説明図である。
【図６】前記端末の表示画面を示す説明図である。
【図７】本発明の端末システムの使用例を示す説明図である。
【符号の説明】
【００３５】
１  携帯電話（端末）
２  表示画面（画面）
３  操作部
４  聞取部
５  通話部
６  内蔵カメラ
７  スピーカー
８  バッテリー
Ｓ  静止画像（静止画）
Ｄ  動画像（動画）
【図１】
2008191834.tif 000003
【図２】
2008191834.tif 000004
【図３】
2008191834.tif 000005
【図４】
2008191834.tif 000006
【図５】
2008191834.tif 000007
【図６】
2008191834.tif 000008
【図７】
2008191834.tif 000009